(57)【要約】【課題】クリーニングブラシの取り出し、収納の容易な電気掃除機を提供する。【解決手段】ダストボックス収納部に着脱自在に装着されるダストボックスユニット４と、ダストボックスユニット４の後部に配されたフィルターユニット４１と、ダストボックスユニット４の後部に設けられクリーニングブラシ５３を収納するブラシ収納部４０ａとを備え、クリーニングブラシ５３を、一端にブラシ５３ｂを植毛したブラシ棒５３ｃと、一方の開口部５３ｅから挿入されてブラシ棒５３ｃを収納する筒体５３ａで形成したもので、ブラシ収納部４０ａが、フィルターユニット４１と同じくダストボックスユニット４の後部に配されているので、フィルターユニット４１を清掃する際にクリーニングブラシ５３を簡単に取り出すことができ、さらにクリーニングブラシ５３の収納時には、ブラシ棒５３ｃを筒体５３ａに収納すると全長が短くなるので、収納が容易である。【選択図】図１２
2006061540.tif 000002
【特許請求の範囲】
【請求項１】
電動送風機とダストボックス収納部を有する掃除機本体と、前記ダストボックス収納部に着脱自在に装着されると共に塵埃を集塵する集塵部を有するダストボックスユニットと、前記ダストボックスユニットの後部に配されたフィルターと、前記ダストボックスユニットの後部に設けられクリーニングブラシを収納するブラシ収納部とを備え、前記クリーニングブラシを、一端にブラシを植毛したブラシ棒と、一方の開口部から挿入されて前記ブラシ棒を収納する筒体で形成した電気掃除機。
【請求項２】
筒体の他端に、ブラシ棒の反ブラシ側端部が圧入される開口部を設けた請求項１に記載の電気掃除機。
【請求項３】
筒体の開口部にブラシ棒の反ブラシ側端部を圧入した時の全長を、集塵部の最大奥行き寸法よりも長く設定した請求項２に記載の電気掃除機。
【請求項４】
プリーツ状のフィルターを備え、ブラシの突出長さをフィルターのプリーツ高さより長く設定した請求項１〜３のいずれか１項に記載の電気掃除機。
【発明の詳細な説明】
【技術分野】
【０００１】
本発明は、塵埃を捕集する集塵部を備えた電気掃除機に関するものである。
【背景技術】
【０００２】
従来のこの種の電気掃除機には、フィルターが設けられており、長い間電気掃除機を使用していると、次第に目詰まりしてくるので、十分な吸引力を確保するためにも定期的にフィルターを清掃するのが望ましい（例えば、特許文献１参照）。
【特許文献１】特許第３４６１８２４号公報
【発明の開示】
【発明が解決しようとする課題】
【０００３】
しかしながら、従来の電気掃除機には、フィルター清掃用のブラシなどが無いので、古くなった歯ブラシ等で清掃していた。そのためフィルターを清掃したい時には、歯ブラシや他の清掃用ブラシを捜しまわらなければならず、非常に面倒であった。
【０００４】
本発明は、前記従来の課題を解決するもので、フィルター清掃用のクリーニングブラシを簡単に取り出すことができ、さらに、その収納も容易な電気掃除機を提供する事を目的とする。
【課題を解決するための手段】
【０００５】
前記従来の課題を解決するために、本発明の電気掃除機は、電動送風機とダストボックス収納部を有する掃除機本体と、前記ダストボックス収納部に着脱自在に装着されると共に塵埃を集塵する集塵部を有するダストボックスユニットと、前記ダストボックスユニットの後部に配されたフィルターと、前記ダストボックスユニットの後部に設けられクリーニングブラシを収納するブラシ収納部とを備え、前記クリーニングブラシを、一端にブラシを植毛したブラシ棒と、一方の開口部から挿入されて前記ブラシ棒を収納する筒体で形成したもので、ブラシ収納部が、フィルターと同じくダストボックスユニットの後部に配されているので、フィルターを清掃する際にクリーニングブラシを簡単に取り出すことができ、さらに、クリーニングブラシの収納時には、ブラシ棒を筒体に収納すると全長が短くなるので、収納が容易である。
【発明の効果】
【０００６】
本発明の電気掃除機は、クリーニングブラシを簡単に取り出すことができ、さらに、クリーニングブラシの収納も極めて容易である。
【発明を実施するための最良の形態】
【０００７】
第１の発明は、電動送風機とダストボックス収納部を有する掃除機本体と、前記ダストボックス収納部に着脱自在に装着されると共に塵埃を集塵する集塵部を有するダストボックスユニットと、前記ダストボックスユニットの後部に配されたフィルターと、前記ダストボックスユニットの後部に設けられクリーニングブラシを収納するブラシ収納部とを備え、前記クリーニングブラシを、一端にブラシを植毛したブラシ棒と、一方の開口部から挿入されて前記ブラシ棒を収納する筒体で形成したもので、ブラシ収納部が、フィルターと同じくダストボックスユニットの後部に配されているので、フィルターを清掃する際にクリーニングブラシを簡単に取り出すことができ、さらに、クリーニングブラシの収納時には、ブラシ棒を筒体に収納すると全長が短くなるので、収納が容易である。
【０００８】
第２の発明は、特に、第１の発明の筒体の他端に、ブラシ棒の反ブラシ側端部が圧入される開口部を設けたもので、開口部にブラシ棒の反ブラシ側端部を圧入することにより長いクリーニングブラシが得られ、それによりブラシで奥まで清掃することができる。
【０００９】
第３の発明は、特に、第２の発明の筒体の開口部にブラシ棒の反ブラシ側端部を圧入した時の全長を、集塵部の最大奥行き寸法よりも長く設定したもので、集塵部の奥くまで確実に掃除する事ができる。
【００１０】
第４の発明は、特に、第１〜３のいずれか１つの発明のプリーツ状のフィルターを備え、ブラシの突出長さをフィルターのプリーツ高さより長く設定したもので、フィルターのプリーツの奥まで確実にブラシで掃除できる。
【００１１】
以下、本発明の実施の形態について、図面を参照しながら説明する。なお、この実施の形態によって本発明が限定されるものではない。
【００１２】
（実施の形態１）
本発明の第１の実施の形態における電気掃除機について、図１〜１２を用いて説明する。
【００１３】
図１は、本実施の形態における電気掃除機の全体斜視図、図２は、同電気掃除機の上面図、図３は、同電気掃除機の断面図である。
【００１４】
図１において、１は掃除機本体で、後部に電動送風機２を内蔵した電動送風機室３が配され、前部に、着脱自在で塵埃を分離捕集するダストボックスユニット４を収納するダストボックス収納部５が配され、後方下部の両側に１対の走行用の車輪６が回転自在に取着され、底面前部には、同じく走行用のキャスター７が取着されている。掃除機本体１の前部には、ホース８の一端に設けた接続パイプ９が着脱自在に接続される吸入口１０が設けられている。
【００１５】
ホース８の他端には、掃除の際に握る把手を備えた先端パイプ１２が設けられている。１３は、伸縮自在或いは継ぎ自在の延長管で、下流側端部が前記先端パイプ１２に着脱自在に接続され、他端は、塵埃掻き揚げ用の回転ブラシ１４と、その回転ブラシ１４を回転駆動するモータ１５を内蔵した吸い込み具１６に着脱自在に接続される。
【００１６】
１７は、掃除機本体１の側面に設けられた開口部で、ダストボックス収納部５に装着されたダストボックスユニット４の透明材料で形成された外郭側面が外から見えるようになっている。
【００１７】
１８は、弾性材料から形成され掃除機本体１の前部から両側にかけて延設されたバンパーで、掃除機本体１の走行時に家具、柱などに衝突してもそれらに傷をつけないようにするためのもので、また、掃除機本体１に設けた開口部１７と対向する部分が図に示されるように、くりぬかれている。
【００１８】
１９は、掃除機本体１を持ち運ぶ際に立てて使用する本体ハンドルで、掃除機本体１の重心を通る垂直線上に回動中心が位置するように掃除機本体１の上部に回動自在に取り付けられている。
【００１９】
２０は、ダストボックスユニット４の持ち運び用のボックスハンドルで、上端がダストボックスユニット４に回動自在に軸支され、その前端は、通常図１に示すようにダストボックスユニット４に収納されているが、ダストボックスユニット４を持ち運ぶ時や、掃除機本体１のダストボックス収納部５から取り外す時に、前部を持ち上げると、前端が上方に飛び出し、ボックスハンドル２０が握れるようになる。
【００２０】
２１は、ダストボックスユニット４を掃除機本体１のダストボック収納部５に収納した時にダストボックスユニット４の前端を保持する尾錠で、尾錠バネ２１ａで後方側に付勢されている。
【００２１】
図３において、掃除機本体１の外郭は、その下部を形成すると共に後方にコードリール２２を収納するコードリール収納部２３を形成した下ボディ１ａと、後部に電動送風機室３を形成した上ボディ１ｂからなり、電動送風機室３の底部は下ボディ１ａで覆われる。２４は、下ボディ１ａに形成されたコードリール収納部２３を覆うコードリール蓋で、そのコードリール蓋２４及び下ボディ１ａの夫々に設けた軸支部２５でコードリール２２が回動自在に軸支されている。
【００２２】
コードリール２２は、電源コード３２を巻き付けると共に上下にフランジ部２２ａを有するドラム部２２ｂと、前記ドラム部２２ｂを電源コード３２を巻き付ける方向に付勢するバネ材２２ｃから構成されている。
【００２３】
２６は、コードリール２２に内蔵されたバネ材２２ｃの付勢力に抗して外部に引き出された電源コード３２を、コードリール２２内に巻き戻す際に操作する巻き戻し釦で、その巻き戻し釦２６を下方に押すことにより、ブレーキローラー（図示せず）によるコードリール２２の回動阻止が解除され、コードリール２２がバネ材２２ｃの付勢力で電源コード３２を巻き上げるようになっている。
【００２４】
電動送風機２の前部は、弾性材料からなるサポート前２７で、後部は、同じく弾性材料からなるサポート後２８で、電動送風機室３内に支持されている。２９は、電動送風機室３とダストボックス収納部５とを仕切る隔壁で、略中央に電動送風機２の吸入開口２ａと連通する格子状の隔壁開口部３０が設けられ、その隔壁開口部３０は、ダストボックス収納部５側から三次フィルター３１で覆われている。
【００２５】
図４は、掃除機本体１からダストボックスユニット４を取り外した時の斜視図であり、吸入口１０の後方にパッキン３７が設けられ、ダストボックス収納部５の後方下部には、図示しない機構により、電源コード３２の引き出し操作に連動して回転して後述の除塵板５７を弾く弾きローラー３３が設けられている。３９は、弾きローラー３３の周囲を覆うカバーで、弾きローラー３３に髪の毛等が巻きついたときに、カバー３９を外せば、容易に取り除くことができる。
【００２６】
弾きローラー３３は、弾き片３３ａと、それを挟み込むように形成されたフランジ３３ｂで形成されている。
【００２７】
次に、ダストボックスユニット４の構成について図５〜１１を用いて説明する。
【００２８】
図において、ダストボックスユニット４は、ダストボックス本体４０と、ダストボックス本体４０の後方開口部に着脱自在に装着されるフィルターユニット４１から構成されている。
【００２９】
最初に、吸い込み具１６から空気と共に吸引された塵埃の捕集構成について述べる。ダストボックス本体４０の前部に、ダストボックスユニット４を掃除機本体１のダストボックス収納部５に装着した時に、掃除機本体１の吸入口１０の後方に設けたパッキン３７に気密に圧接し連通する吸入口Ａ４２と、尾錠２１が係合する尾錠凹部５２が設けられている。
【００３０】
ダストボックス本体４０は、さらに、吸入口Ａ４２に直接連通すると共に粗塵を収納する粗塵室４３と、連通口Ａ４４を介して粗塵室４３と連通すると共に吸引風に含まれた細塵を遠心分離する遠心分離室４５と、遠心分離室４５の周壁の一部に設けた連通口Ｂ４６から落下する細塵を捕集する細塵室４７と、前記粗塵室４３と細塵室４７の夫々の開口部４３ｂ、４７ｂを覆うと共に後方端部がダストボックス本体４０に回動自在に軸支された蓋体４８を備えている。蓋体４８は、コイルバネ４９により開成方向に付勢されており、通常は、ダストボックス本体４０に設けた係止片５０で、その前部が閉じた状態に保持されており、ボックスハンドル２０の前部に設けた解除釦５１を押すと、それに連結された連結機構（後述する）を介して係止片５０が外方に移動し、蓋体４８がコイルバネ４９の付勢力で開くようになっている。
【００３１】
図６（ｃ）に示すように、遠心分離室４５の前部断面形状は、天面が平坦なＤカット状に形成されている。これは、掃除機本体１の外郭の一部を成すダストボックスユニット４の前部の表面を低く見せ、デザイン状のバリエーションを広げるためである。さらに連通口Ｂ４６の細塵室４７側には、筒状のリブ４５ｃが延設され、細塵室４７に流入した細塵が遠心分離室４５に逆流させないためのものである。
【００３２】
また、ダストボックス本体４０の粗塵室４３と細塵室４７を形成している外郭部分は、半透明材料で形成され、外部から堆積した塵埃の量がわかるようになっている。
【００３３】
ダストボックス本体４０の後側には、ダストボックスユニット４や、その構成部品に付着した塵埃を清掃する為のクリーニングブラシ５３を収納するブラシ収納部４０ａが設けられている。
【００３４】
フィルターユニット４１は、枠体５４と、プリーツ折りされそのプリーツ目を縦方向にして枠体５４に設けられた二次フィルタ５５と、枠体５４の内側に橋渡し状に形成され、二次フィルタ５５をその折り目方向に直交する方向で保持するリブ体５６と、鋼鈑など弾性に富んだ金属材からなり、下部がそれ自信の弾性力で枠体５４側に押しつけられるように上部が枠体５４の上部に取り付けられた除塵板５７とを備えている。フィルターユニット４１の枠体５４の下流側端部には全周に渡ってリップ５８が、一体又は一体的に形成され、ダストボックスユニット４を、ダストボックス収納部５に装着した時に、そのリップ５８が、掃除機本体１の隔壁２９のダストボックス収納部５側の面に圧接され、電動送風機２の運転時に外気が吸引されないようになっている。
【００３５】
フィルターユニット４１の前面５９は、二次フィルタ５５の上流側を覆うと共に、フィルターユニット４１をダストボックス本体４０に装着した時に、粗塵室４３、遠心分離室４５、細塵室４７の夫々の後方開口部４３ａ、４５ａ、４７ａを気密に覆うようになっている。さらにフィルターユニット４１の前面５９の、前記後方開口部４３ａ、４５ａ、４７ａの夫々に対応する位置に、開口Ａ６０、開口Ｂ６１、開口Ｃ６２が設けられ、かつ、各開口Ａ６０、開口Ｂ６１、開口Ｃ６２には一次フィルタ６０ａ、６１ａ、６２ａが設けられて、フィルターユニット４１内に粗塵や、細塵が浸入するのを防止している。
【００３６】
除塵板５７の下端には、突片５７ａが延設され、図１０、図１１の要部断面図に示すように、ダストボックスユニット４をダストボックス収納部５に装着した時に、掃除機本体１に設けた弾きローラー３３に近接するように配されており、この状態で電源コード３２を引き出すと、その引き出し動作に連動して弾きローラー３３が回転し、山状に形成された弾き片３３ａが、除塵板５７の弾性力に抗して除塵板５７の突片５７ａを後方に移動させ、その突片５７ａが弾き片３３ａを乗り越えると（図１１参照）、除塵板５７の弾性力で元の左方向に一気に戻ろうとする。この時、除塵板５７の一部がリブ体５６の先端に当たってリブ体５６に強い衝撃が加わり、これにより二次フィルタ５５に強い振動が加わり、二次フィルタ５５に付着していた細塵が振り落とされ、二次フィルタ５５の濾過性能が復活する。
【００３７】
上記構成による動作、作用は以下の通りである。
【００３８】
電気掃除機の使用開始に当たり、掃除機本体１より電源コード３２を引き出すと、その引き出し動作に連動して、弾きローラー３３が回転すると、その弾き片３３ａが除塵板５７に設けた突片５７ａを弾き、フィルターユニット４１のリブ体５６に強い衝撃が加わり、前回までの掃除の際に二次フィルター５５に付着した細塵がふるい落とされ、二次フィルター５５の濾過能力が回復する。
【００３９】
次に、電源コード３２を図示しない壁のコンセントにさし込んで、電気掃除機の運転を開始すると、電動送風機２による吸引力が、二次フィルター５５、開口Ａ６０、開口Ｂ６１、開口Ｃ６２、一次フィルタ６０ａ、６１ａ、６２ａを経て、粗塵室４３、遠心分離室４５、細塵室４７に及び、ホース８、延長管１３を経て吸い込み具１６に至る。そして、吸い込み具１６から吸引された塵埃を含んだ空気が、掃除機本体１の吸入口１０を通って、ダストボックス本体４０の吸入口Ａ４２から真っ直ぐ粗塵室４３に入り、一次フィルター６０ａに当たり、そこで粗塵が捕集され、堆積していく。
【００４０】
電動送風機２による吸引力は、遠心分離室４５にも作用しているので、粗塵室４３で、粗塵が除去された空気の一部は、吸入口Ａ４２側に位置する連通口Ａ４４を通って、遠心分離室４５に流入する。ここで、空気は、一次フィルター６１ａの表面に沿ってかつその接線方向から遠心分離室４５に流入するので、塵埃の遠心分離が効果的に行なわれると共に、一次フィルター６１ａに塵埃が付着し難くなり、塵埃による目詰まりが起き難いので、一次フィルター６１ａでの空気圧損の低下を抑制する事ができる。
【００４１】
遠心分離室４５で遠心分離された細塵は、遠心分離室４５の周壁の一部に設けた連通口Ｂ４６から細塵室４７に落下する。一次フィルター６０ａ、６１ａ、６２ａを通過した空気に含まれる微細塵は、二次フィルター５５で捕捉される。
【００４２】
上記構成によれば、粗塵が粗塵室４３で予め捕集されるので、遠心分離室４５での塵埃の遠心分離のための負担が軽減され、しかもそこで分離された細塵が細塵室４７で捕集されるので、遠心分離室４５に細塵が残るのが抑制され、高い遠心分離性能を長期にわたって維持することができる。
【００４３】
また、細塵室４７における吸気圧損を、遠心分離室４５及び粗塵室４３における吸気圧損より大きくなるように設定しておけば、遠心分離室４５に細塵が残るのが抑制され、高い遠心分離性能を長期にわたって維持できる。
【００４４】
次に、図１２を用いてクリーニングブラシ５３の構成について説明する。クリーニングブラシ５３は、筒体５３ａと、筒体５３ａの一端の開口部５３ｅ側より収納自在で、一端にブラシ５３ｂを有するブラシ棒５３ｃからなり、筒体５３ａの他端には、ブラシ棒５３ｃの反ブラシ５３ｂ側の端部が圧入される開口部５３ｄが設けられている。図１２（ｂ）は、ブラシ棒５３ｃが筒体５３ａに収納された状態を示し、図１２（ｃ）は、ブラシ棒５３ｃの端部を筒体５３ａの開口部５３ｄに圧入して、長くして使用する状態を示している。
【００４５】
なお、筒体５３ａの開口部５３ｄにブラシ棒５３ｃの反ブラシ５３ｂ側端部を圧入した時の全長を、粗塵室４３や細塵室４７の最大奥行き寸法よりも長く設定している。
【００４６】
さらに、ブラシ５３ｂの突出長さ（Ｌ）を二次フィルター５５のプリーツ高さより長く設定している。
【００４７】
上記構成により、ブラシ収納部４０ａが、フィルターユニット４１と同じくダストボックスユニット４の後部に配されているので、フィルターユニット４１を清掃する際にクリーニングブラシ５３を簡単に取り出すことができ、さらに、クリーニングブラシ５３の収納時には、ブラシ棒５３ｃを筒体５３ａに収納すると全長が短くなるので、収納が容易である。
【００４８】
また、筒体５３ａの他端に設けた開口部５３ｄに、ブラシ棒５３ｃの反ブラシ５３ｂ側端部を圧入することにより長いクリーニングブラシ５３が得られ、それによりブラシ５３ｂで奥まで清掃することができる。
【００４９】
さらに、筒体５３ａの開口部５３ｄにブラシ棒５３ｃの反ブラシ５３ｂ側端部を圧入した時の全長を、粗塵室４３や細塵室４７の最大奥行き寸法よりも長く設定したので、粗塵室４３や細塵室４７のすみずみまで確実に掃除する事ができる。
【００５０】
さらに、ブラシ５３ｂの突出長さ（Ｌ）を二次フィルター５５のプリーツ高さより長く設定しているので、二次フィルター５５のプリーツの奥まで確実にブラシ５３ｂで掃除できる。
【産業上の利用可能性】
【００５１】
以上のように、本発明にかかる電気掃除機は、フィルター清掃用のクリーニングブラシを簡単に取り出すことができ、さらに、クリーニングブラシの収納も容易なので、定期的にメンテする必要が有るフィルターを使用する電気掃除機、集塵機、空気清浄機等に適用できる。
【図面の簡単な説明】
【００５２】
【図１】本発明の実施の形態１における電気掃除機の全体斜視図
【図２】同電気掃除機の上面図
【図３】同電気掃除機の断面図
【図４】同電気掃除機の掃除機本体の斜視図
【図５】（ａ）同電気掃除機のダストボックスユニットの側面図（ｂ）同ダストボックスユニットの平面図（ｃ）図５（ｂ）のＡ−Ａ断面図（ｄ）図５（ｂ）のＢ−Ｂ断面図
【図６】同ダストボックスユニットの正面図
【図７】同ダストボックスユニットの背面図
【図８】同ダストボックスユニットのダストボックス本体の斜視図
【図９】同ダストボックスユニットのフィルターユニットの斜視図
【図１０】同ダストボックスユニットの要部断面図
【図１１】同ダストボックスユニットの要部断面図
【図１２】（ａ）同ダストボックスユニットの背面図（ｂ）同電気掃除機のクリーニングブラシの収納状態を示す図（ｃ）同クリーニングブラシの使用状態を示す図
【符号の説明】
【００５３】
４  ダストボックスユニット
４０ａ  ブラシ収納部
４１  フィルターユニット
５３  クリーニングブラシ
５３ａ  筒体
５３ｂ  ブラシ
５３ｃ  ブラシ棒
５３ｅ  開口部
【図１】
2006061540.tif 000003
【図２】
2006061540.tif 000004
【図３】
2006061540.tif 000005
【図４】
2006061540.tif 000006
【図５】
2006061540.tif 000007
【図６】
2006061540.tif 000008
【図７】
2006061540.tif 000009
【図８】
2006061540.tif 000010
【図９】
2006061540.tif 000011
【図１０】
2006061540.tif 000012
【図１１】
2006061540.tif 000013
【図１２】
2006061540.tif 000014